【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
第１の係数ブロックを逆量子化することと、
非分離可能変換のセットのサブセットを構築することと、ここにおいて、前記サブセットを構築することは、復号情報に基づいて前記サブセットを決定することを備え、前記復号情報は、少なくとも１つのイントラ予測モードと、コーディングユニット（ＣＵ）レベルの拡張複数変換（ＥＭＴ）インデックス、変換ユニット（ＴＵ）レベルのＥＭＴインデックス、残差４分木深度、量子化係数、参照予測ブロック、および予測ユニット（ＰＵ）内の現在のＴＵの相対ロケーションのうちの１つまたは複数とを備える、
第１の逆変換として非分離可能変換の前記セットの前記サブセットから１つの候補を選択することと、
第２の係数ブロックを生成するために前記逆量子化された第１の係数ブロックの少なくとも一部に前記第１の逆変換を適用することと、前記第１の逆変換が、非分離可能変換である、
残差ビデオブロックを生成するために前記第２の係数ブロックに第２の逆変換を適用することと、前記第２の逆変換が、周波数領域からピクセル領域に前記第２の係数ブロックを変換する、
復号ビデオブロックを形成することと、ここにおいて、前記復号ビデオブロックを形成することが、１つまたは複数の予測ブロックを前記残差ビデオブロックに加算することを備える、
ここにおいて、異なるイントラ予測モードに対応する非分離可能変換の前記セットの変換サブセット中の変換候補の数が異なる、
を備える方法。
【請求項２】
前記サブセットを構築することは、
３つ以上の非分離可能変換候補を含むように非分離可能変換の前記セットの前記サブセットを構築すること
を備える、請求項１に記載の方法。
【請求項３】
非分離可能変換の前記セットが、１２個の変換サブセットを含み、前記１２個の変換サブセットが、非分離可能変換の前記セットの前記サブセットを含む、請求項１に記載の方法。
【請求項４】
前記１２個の変換サブセットの各変換サブセットが、３つの変換候補を含む、請求項３に記載の方法。
【請求項５】
非分離可能変換の前記セットが、前記ビデオデータのためのルーマイントラ予測モードによって指定される、請求項４に記載の方法。
【請求項６】
前記方法が、前記ビデオデータのビットストリームから、前記変換ユニット、前記予測ユニット、前記コーディングユニット、またはそれらの組合せに適用可能なインデックスを示すシンタックス要素を取得することをさらに備え、
非分離可能変換の前記セットの前記サブセットから前記候補を選択することが、前記第１の逆変換として、前記インデックスによって示される候補を選択することを備える、請求項１に記載の方法。
【請求項７】
前記第１の逆変換が、カルーネンレーベ変換（ＫＬＴ）である、請求項１に記載の方法。
【請求項８】
ビデオデータを符号化するための方法であって、
残差ビデオブロックを形成することと、ここにおいて、前記残差ビデオブロックを形成することが、コーディングされているビデオブロックから１つまたは複数の予測ブロックを減算することを備える、
第１の係数ブロックを生成するために前記残差ビデオブロックに第１の変換を適用することと、前記第１の変換が、ピクセル領域から周波数領域に前記残差ビデオブロックを変換する、
非分離可能変換のセットのサブセットを構築することと、ここにおいて、前記サブセットを構築することは、少なくとも１つのイントラ予測モードと、コーディングユニット（ＣＵ）レベルの拡張複数変換（ＥＭＴ）インデックス、変換ユニット（ＴＵ）レベルのＥＭＴインデックス、残差４分木深度、量子化係数、参照予測ブロック、および予測ユニット（ＰＵ）内の現在のＴＵの相対ロケーションのうちの１つまたは複数とに基づいて前記サブセットを決定することを備える、
第２の変換として非分離可能変換の前記セットの前記サブセットから１つの候補を選択することと、
第２の係数ブロックを生成するために前記第１の係数ブロックの少なくとも一部に前記第２の変換を適用することと、前記第２の変換が、非分離可能変換である、
前記第２の係数ブロックを量子化することと、
ここにおいて、異なるイントラ予測モードに対応する非分離可能変換の前記セットの変換サブセット中の変換候補の数が異なる、
を備える方法。
【請求項９】
前記サブセットを構築することは、
３つ以上の非分離可能変換候補を含むように非分離可能変換の前記セットの前記サブセットを構築すること
を備える、請求項８に記載の方法。
【請求項１０】
非分離可能変換の前記セットが、１２個の変換サブセットを含み、前記１２個の変換サブセットが、非分離可能変換の前記セットの前記サブセットを含み、
前記１２個の変換サブセットの各変換サブセットが、３つの変換候補を含む、請求項８に記載の方法。
【請求項１１】
非分離可能変換の前記セットが、前記ビデオデータのためのルーマイントラ予測モードによって指定される、請求項１０に記載の方法。
【請求項１２】
前記ビデオデータの符号化ビットストリーム中に、前記変換ユニット、前記予測ユニット、前記コーディングユニット、またはそれらの組合せのためのインデックスを示すデータを生成すること、前記選択された候補を示す前記インデックスが、前記第２の変換である、
をさらに備える、請求項８に記載の方法。
【請求項１３】
前記第２の変換が、カルーネンレーベ変換（ＫＬＴ）である、請求項８に記載の方法。
【請求項１４】
ビデオデータを復号するための装置であって、
第１の係数ブロックを逆量子化するための手段と、
非分離可能変換のセットのサブセットを構築するための手段と、ここにおいて、前記サブセットを構築するための手段は、復号情報に基づいて前記サブセットを決定するための手段を備え、前記復号情報は、少なくとも１つのイントラ予測モードと、コーディングユニット（ＣＵ）レベルの拡張複数変換（ＥＭＴ）インデックス、変換ユニット（ＴＵ）レベルのＥＭＴインデックス、残差４分木深度、量子化係数、参照予測ブロック、および予測ユニット（ＰＵ）内の現在のＴＵの相対ロケーションのうちの１つまたは複数とを備える、
第１の逆変換として非分離可能変換の前記セットの前記サブセットから１つの候補を選択するための手段と、
第２の係数ブロックを生成するために前記逆量子化された第１の係数ブロックの少なくとも一部に前記第１の逆変換を適用するための手段と、前記第１の逆変換が、非分離可能変換である、
残差ビデオブロックを生成するために前記第２の係数ブロックに第２の逆変換を適用するための手段と、前記第２の逆変換が、周波数領域からピクセル領域に前記第２の係数ブロックを変換する、
復号ビデオブロックを形成するための手段と、ここにおいて、前記復号ビデオブロックを形成するための前記手段が、１つまたは複数の予測ブロックを前記残差ビデオブロックに加算するための手段を備える、
ここにおいて、異なるイントラ予測モードに対応する非分離可能変換の前記セットの変換サブセット中の変換候補の数が異なる、
を備える装置。
【請求項１５】
命令を記憶した非一時的コンピュータ可読記憶媒体であって、前記命令は、実行されたとき、ビデオデータを復号するためのデバイスの１つまたは複数のプロセッサに、請求項１〜請求項７のうちのいずれかの方法を実行させる、非一時的コンピュータ可読記憶媒体。